(57)【要約】【課題】目地材を交換する毎に目地用間隙の幅寸法の値が大きくなることを極力防ぐことができるとともに、目地材の除去工程を簡素化でき、目地材の除去を極力短時間ですることができる目地材除去装置を提供する。【解決手段】一方のコンクリート舗装版３Ａと他方のコンクリート舗装版３Ｂとの間の細長い間隙５に設置されている目地材７を除去する目地材除去装置１において、目地材除去刃２３が設置され、この設置された目地材除去刃を、目地材７を除去するために目地材７に食い込ませ回転させる目地材除去刃設置部１１を有し、目地材除去刃設置部１１は、設置された目地材除去刃２３の回転中心軸Ｃ１、Ｃ２の延伸方向を変更自在に構成されている。【選択図】図１
2020020187.tif 000002
【特許請求の範囲】
【請求項１】
一方のコンクリート舗装版と他方のコンクリート舗装版との間の細長い間隙に設置されている目地材を除去する目地材除去装置において、
目地材除去刃が設置され、この設置された目地材除去刃を、前記目地材を除去するために前記目地材に食い込ませ回転させる目地材除去刃設置部を有し、
前記目地材除去刃設置部は、前記設置された目地材除去刃の回転中心軸の延伸方向を変更自在に構成されていることを特徴とする目地材除去装置。
【請求項２】
請求項１に記載の目地材除去装置において、
前記コンクリート舗装版の上を走行するための走行部を有し、
前記目地材の除去は、前記目地材除去刃設置部に設置された目地材除去刃を前記目地材に食い込ませ回転させるとともに、前記走行部による走行でおこなわれるように構成されており、
前記目地材除去刃設置部は、一対で設けられており、
前記一対の目地材除去刃設置部のうちの一方の目地材除去刃設置部に設置された目地材除去刃、前記一対の目地材除去刃設置部のうちの他方の目地材除去刃設置部に設置された目地材除去刃の少なくともいずれかが、前記走行部による走行方向で移動位置決め自在になっていることを特徴とする目地材除去装置。
【請求項３】
請求項１または請求項２に記載の目地材除去装置において、
前記目地材除去刃設置部は、前記設置された目地材除去刃を、この回転中心軸の延伸方向で回動位置決め自在に構成されていることを特徴とする目地材除去装置。
【請求項４】
請求項１〜請求項３のいずれか１項に記載の目地材除去装置において、
前記目地材を除去するための操作をしているオペレータが、前記目地材除去刃設置部に設置されている目地材除去刃を、前記操作をしつつ見えるようにするためのミラーを有することを特徴とする目地材除去装置。
【請求項５】
コンクリート舗装版と他のコンクリート舗装版との間の間隙に設置されている目地材を除去する目地材除去刃において、
円板状に形成されており、外周に切れ刃部が形成されており、厚さ方向の力に対して弾性を備えていることを特徴とする目地材除去刃。
【請求項６】
コンクリート舗装版と他のコンクリート舗装版との間の間隙に設置されている目地材を除去する目地材除去刃において、
円板状に形成されており、外周に切れ刃部が形成されている第１の除去刃と、
前記第１の除去刃と同形状に形成されており、厚さ方向と中心軸とが前記第１の除去刃の厚さ方向と中心軸とに一致するようにして、前記第１の除去刃から所定の距離だけ離れている第２の除去刃と、
前記第１の除去刃と前記第２の除去刃との間で回転トルクを伝達するとともに、前記第１の除去刃と前記第２の除去刃との厚さ方向で、前記第１の除去刃と前記第２の除去刃とがお互いに離れるように、前記第１の除去刃と前記第２の除去刃とを付勢する回転トルク伝達・付勢部と、
を有することを特徴とする目地材除去刃。
【発明の詳細な説明】
【技術分野】
【０００１】
本発明は、目地材除去装置に係り、特に、コンクリート舗装版の間に設けられている目地材を除去ものに関する。
【背景技術】
【０００２】
コンクリート舗装は、重交通や高荷重に対応するためのものとして、自動車専用道路やトンネル内や埠頭やコンテナバース等に広く採用されている。
【０００３】
コンクリート舗装では、コンクリートの材質の熱膨張や収縮によってクラックが発生してしまう。そこで、クラックの発生を防止するために、コンクリート舗装で使用されている複数のコンクリート舗装版（コンクリート版）の間に目地と呼ばれる間隙を設けている。
【０００４】
目地を設けることで、コンクリート舗装版が個別版となる。また、お互いが隣接しているコンクリート舗装版同士は、タイバー（丸鋼）及びダウエルバー（異形鉄筋）にて連結されており、コンクリート舗装版同士がお互いに接続されて、荷重伝達がされるようになっている。
【０００５】
なお、目地の幅は、コンクリート舗装の目的やコンクリート舗装の施工方法やコンクリート舗装版の種類によって異なるが、各種の施工便覧等に規定されている。たとえば、空港の駐機エリアのコンクリート舗装では、施工目地、収縮目地の幅を６〜１０ｍｍとしている。
【０００６】
目地用間隙には、ここから雨水等が侵入することを防止するために、防水シール材（目地材）を設けた防水シール加工が施されている。すなわち、目地用間隙には防水のために目地材が充填されている。目地材として、たとえば、耐油性ポリサルファイド系の加熱目地材が使用されており、目地材は、弾性の高いゴム材質のような性状になっている。
【０００７】
目地材は、紫外線の影響等による経年劣化で、目地材自体の破断やコンクリート舗装版からの剥離を引き起こしてしまう。そして、シール効果（シール材としての機能）が低下してしまう。
【０００８】
シール機能の低下によって、コンクリート舗装版の下に雨水等が侵入すると、路盤の弱体化を引き起こすことになり、コンクリート舗装版の沈下や破壊を誘発するおそれがある。また、雨水等の侵入によりタイバー、ダウエルバーに錆が発生し、やがては破断することにより荷重伝達が行われなくなり、コンクリート舗装版の沈下や破壊発生するおそれがある。
【０００９】
そこで、空港では、定期的に目地の補修工事（目地材の定期的な交換）を行っており、ある空港では、毎年約８０ｋｍの長さにわたって目地材の補修工事を行っている。
【００１０】
コンクリート舗装版の間の間隙（目地用間隙）に設けられている目地材の補修作業（補修工事）では、古くなった目地材を除去し、この除去後に、目地用間隙に新しい目地材を注入して設けている。
【００１１】
上記補修作業では、古くなった目地材を目地用間隙から完全に除去する必要がある。古くなった目地材を完全に除去しないと、コンクリート舗装版の表面（側面）に古くなった目地材が残っていることになる。これにより、新しい目地材とコンクリート舗装版との密着接合が不完全になり、シール機能が十分に発揮されない事態が発生する。
【００１２】
ここで、従来の古くなった目地材の除去を含む目地材の交換作業について、図１５、図１６を参照しつつ説明する。
【００１３】
まず、一対のコンクリート舗装版３０１、３０３の間の目地用間隙３０５の近傍（古くなった目地材３１１から僅かに離れたところ）で、コンクリート切断用のカッタ３０７を用いて、一対のコンクリート舗装版３０１、３０３にスリット状の溝３０９を設ける（図１６のＳ３０１、図１５（ａ）（ｂ）（ｃ）（ｄ）参照）。なお、図１５（ｄ）で示すように、溝３０９は、一対のコンクリート舗装版３０１、３０３の両方に設けられている。
【００１４】
このように、目地材３１１から僅かに離れたところに、スリット状の溝３０９を設けている主な理由として、次のものがある。
【００１５】
１つ目は、古くなった目地材３１１がコンクリート舗装版３０１の表面（側面）に残らないよう完全に除去するためである。２つ目は、古くなった目地材３１１を高速で回転するカッタ３０７で切断すると、摩擦熱によって目地材３１１が溶けてしまい、切断に至らない事態が発生するからである。
【００１６】
続いて、一対のスリット状の溝３０９の間に存在している古くなった目地材３１１を、一対の溝３０９の間に存在しているコンクリート片３１３、３１５およびバックアップ部材３１７とともに除去する（図１６のＳ３０３、図１５（ｅ）参照）。なお、目地材３１１等の除去は、たとえば人手によってなされる。
【００１７】
これにより、図１５（ｅ）で示すように、新しい目地材が注入される所定幅の目地用間隙を構成する溝３２１が形成される。図１５に参照符号３１９で示すものは、コンクリート舗装版３０１、３０３を連結しているタイバー（鉄筋）であり、参照符号３２３で示すものは路盤である。
【００１８】
なお、古くなった目地材３１１を目地用間隙３０５から完全に除去すべく、溝３０９を古くなった目地材３１１から離して形成しているので、図１５（ｅ）で示す溝３２１の幅寸法Ｂ２の値（たとえば１６ｍｍ）は、図１５（ａ）で示す目地材３１１の幅寸法Ｂ１の値（たとえば８ｍｍ）よりも大きくなっている。
【００１９】
続いて、新しく形成された溝３２１（目地部）を高圧水によって洗浄し（図１６のＳ３０５）、溝３２１を、人手をかけて清掃し（図１６のＳ３０７）、さらに、溝３２１を機械と人手をかけたとえばエアーブローすることでさらに清掃する（図１６のＳ３０９）。
【００２０】
続いて、溝３２１の底部に新しいバックアップ部材（バックアップ材）を敷設し（図１６のＳ３１１）、プライマを塗布し（Ｓ３１３）、溝３２１内に新しい目地材を注入する（図１６のＳ３１３）。
【００２１】
ここで、従来の技術に関する文献として、たとえば、特許文献１を掲げることができる。
【先行技術文献】
【特許文献】
【００２２】
【特許文献１】特開平１１−３３６０１８号公報
【発明の概要】
【発明が解決しようとする課題】
【００２３】
ところで、従来の方式では、目地材を交換する毎に目地用間隙の幅寸法の値が大きくなってしまうとともに、目地材の除去工程が煩雑であり目地材の除去に長い時間を要するという問題がある。
【００２４】
なお、上述した「８ｍｍ」→「１６ｍｍ」は、１回目の目地材の交換工事をする前と後とにおける目地用間隙３０５の幅の値であるが、目地材の交換工事を１回行う毎にたとえば８ｍｍずつ目地用間隙３０５の幅が広くなってしまう。目地用間隙３０５の幅（目地材の幅）が広くなるほど、雨水等の侵入のおそれが高くなる等の不具合が発生する。
【００２５】
本発明は、上記問題点に鑑みてなされたものであり、目地材を交換する毎に目地用間隙の幅寸法の値が大きくなることを極力防ぐことができるとともに、目地材の除去工程を簡素化でき、目地材の除去を極力短時間ですることができる目地材除去装置を提供することを目的とする。
【課題を解決するための手段】
【００２６】
請求項１に記載の発明は、一方のコンクリート舗装版と他方のコンクリート舗装版との間の細長い間隙に設置されている目地材を除去する目地材除去装置において、目地材除去刃が設置され、この設置された目地材除去刃を、前記目地材を除去するために前記目地材に食い込ませ回転させる目地材除去刃設置部を有し、前記目地材除去刃設置部は、前記設置された目地材除去刃の回転中心軸の延伸方向を変更自在に構成されている目地材除去装置である。
【００２７】
請求項２に記載の発明は、請求項１に記載の目地材除去装置において、前記コンクリート舗装版の上を走行するための走行部を有し、前記目地材の除去は、前記目地材除去刃設置部に設置された目地材除去刃を前記目地材に食い込ませ回転させるとともに、前記走行部による走行でおこなわれるように構成されており、前記目地材除去刃設置部は、一対で設けられており、前記一対の目地材除去刃設置部のうちの一方の目地材除去刃設置部に設置された目地材除去刃、前記一対の目地材除去刃設置部のうちの他方の目地材除去刃設置部に設置された目地材除去刃の少なくともいずれかが、前記走行部による走行方向で移動位置決め自在になっている目地材除去装置である。
【００２８】
請求項３に記載の発明は、請求項１または請求項２に記載の目地材除去装置において、前記目地材除去刃設置部は、前記設置された目地材除去刃を、この回転中心軸の延伸方向で回動位置決め自在に構成されている目地材除去装置である。
【００２９】
請求項４に記載の発明は、請求項１〜請求項３のいずれか１項に記載の目地材除去装置において、前記目地材を除去するための操作をしているオペレータが、前記目地材除去刃設置部に設置されている目地材除去刃を、前記操作をしつつ見えるようにするためのミラーを有する目地材除去装置である。
【００３０】
請求項５に記載の発明は、コンクリート舗装版と他のコンクリート舗装版との間の間隙に設置されている目地材を除去する目地材除去刃において、円板状に形成されており、外周に切れ刃部が形成されており、厚さ方向の力に対して弾性を備えている目地材除去刃である。
【００３１】
請求項６に記載の発明は、コンクリート舗装版と他のコンクリート舗装版との間の間隙に設置されている目地材を除去する目地材除去刃において、円板状に形成されており、外周に切れ刃部が形成されている第１の除去刃と、前記第１の除去刃と同形状に形成されており、厚さ方向と中心軸とが前記第１の除去刃の厚さ方向と中心軸とに一致するようにして、前記第１の除去刃から所定の距離だけ離れている第２の除去刃と、前記第１の除去刃と前記第２の除去刃との間で回転トルクを伝達するとともに、前記第１の除去刃と前記第２の除去刃との厚さ方向で、前記第１の除去刃と前記第２の除去刃とがお互いに離れるように、前記第１の除去刃と前記第２の除去刃とを付勢する回転トルク伝達・付勢部とを有する目地材除去刃である。
【発明の効果】
【００３２】
本発明によれば、目地材を交換する毎に目地用間隙の幅寸法の値が大きくなることを極力防ぐことができるとともに、目地材の除去工程を簡素化でき、目地材の除去を短時間ですることができるという効果を奏する。
【図面の簡単な説明】
【００３３】
【図１】本発明の実施形態に係る目地材除去装置の概略構成を示す図である。
【図２】図１におけるＩＩ矢視図である。
【図３】本発明の実施形態に係る目地材除去装置の目地材除去刃設置部に設置されている目地材除去刃の挙動を示す平面図である。
【図４】本発明の実施形態に係る目地材除去装置の目地材除去刃設置部に設置されている目地材除去刃の挙動を示す正面図（図１におけるＩＶ矢視図）である。
【図５】本発明の実施形態に係る目地材除去装置の目地材除去刃設置部に設置されている目地材除去刃の挙動を示す側面図である。
【図６】本発明の実施形態に係る目地材除去装置の、目地材除去刃を支持している目地材除去刃設置部の概要を示す図である。
【図７】本発明の実施形態に係る目地材除去刃を示す図であって（ｂ）は（ａ）におけるＶＩＩＢ−ＶＩＩＢ断面を示す図である。
【図８】（ａ）は図７（ａ）におけるＶＩＩＩＡ矢視図であり、（ｂ）は（ａ）におけるＶＩＩＩＢ矢視図である。
【図９】（ａ）はコンクリート舗装の概要を示す図であり、（ｂ）（ｃ）はコンクリート舗装での目地材交換をするときの途中の状態を示している。
【図１０】（ａ）はコンクリート舗装で使用されている目地材を除去するために目地材除去刃を目地材に食い込ませた状態を示す平面図であり、（ｂ）は（ａ）におけるＸＢ−ＸＢ断面を示す図であり、（ｃ）は（ｂ）におけるＶＣ矢視図である。
【図１１】図１０（ｂ）に対応する図であって、目地材除去刃設置部に設置されている目地材除去刃の回転中心軸を傾けた状態を示す図である。
【図１２】本発明の実施形態に係る目地材交換方法を示す図である。
【図１３】変形例に係る目地材除去刃を示す図であって、（ｂ）は（ａ）におけるＸＩＩＩＢ矢視図であり、（ｃ）は（ｂ）におけるＸＩＩＩＣ矢視図である。
【図１４】図１０（ｂ）に対応する図であって、変形例に係る目地材除去刃を目地材に食い込ませた状態を示す図である。
【図１５】従来の目地材の除去方法を示す図である。
【図１６】従来の目地材交換方法を示す図である。
【発明を実施するための形態】
【００３４】
本発明の実施形態に係る目地材除去装置１は、細長い目地用の間隙（目地用間隙）５に設置（充填）されている目地材７（図９（ａ）等を参照）を除去するものであり、図１、図２等で示すように、目地材除去装置本体部９と、目地材除去刃設置部１１（１１Ａ、１１Ｂ）とを備えて構成されている。目地材７は、従来と同様に、たとえばゴム等の弾性を備えた材料で構成されている。
【００３５】
目地用の間隙（目地材用の間隙）５は、コンクリート舗装で使用されている一方のコンクリート舗装版（第１のコンクリート舗装版）３（３Ａ）とコンクリート舗装で使用されている他方のコンクリート舗装版（第２のコンクリート舗装版）３（３Ｂ）との間に形成されている。
【００３６】
ここで説明の便宜のために、水平な所定の一方向をＸ方向（前後方向）とし、水平な所定の他の一方向であってＸ方向に対して直交する方向をＹ方向（幅方向）とし、Ｘ方向とＹ方向とに対して直交する方向をＺ方向（上下方向）とする。
【００３７】
まず、コンクリート舗装について、図９（ａ）を参照しつつ説明する。
【００３８】
コンクリート舗装では、路体１３の上に所定の厚さの路床１５が設けられており、路床１５の上に所定の厚さの路盤１７が設けられており、路盤１７の上に所定の厚さのコンクリート舗装版３（３Ａ、３Ｂ）が設けられている。
【００３９】
第１のコンクリート舗装版３Ａと第２のコンクリート舗装版３Ｂとは、Ｙ方向でお互いが僅かに離れており、第１のコンクリート舗装版３Ａと第２のコンクリート舗装版３Ｂとの間に目地用の間隙５が形成されており、目地用間隙５に目地材７が充填されている。
【００４０】
目地材７は、Ｘ方向（図９（ａ）の紙面に直交する方向）に長く延びている。なお、図９（ａ）等に参照符号１９で示すものは、バックアップ部材であり、参照符号２１で示すものは、タイバー（鉄筋）である。
【００４１】
目地材除去装置１の目地材除去刃設置部１１には、目地材除去刃２３（２３Ａ、２３Ｂ）が着脱自在に設置されるように構成されている（図２、図６等参照）。目地材除去刃設置部１１に設置された目地材除去刃２３は、図６、図１０等で示すように、目地材７を除去するために目地材７に食い込んで回転し目地材７を切削するようになっている。
【００４２】
目地材除去刃設置部１１は、これに設置されている目地材除去刃２３の回転中心軸Ｃ１の延伸方向を、図３、図４に矢印Ａ３１、Ａ３２、Ａ４１、Ａ４３で示すように、回動させて変更自在（目地材除去刃２３の姿勢を調整できる自在）に構成されている（図１１も併せて参照）。
【００４３】
また、目地材除去装置１には、コンクリート舗装版３の上を走行するための走行部２５（図１参照）が設けられている。そして、目地材７の除去（切削）は、目地材除去刃設置部１１に設置された目地材除去刃２３を目地材７に食い込ませ回転させるとともに、走行部２５における走行をすることでされるように構成されている。
【００４４】
走行部２５による走行で、目地材除去装置１はＸ方向で後側から前側に向かって移動するようになっている。
【００４５】
目地材除去刃設置部１１は、一対で設けられている。
【００４６】
一対の目地材除去刃設置部１１のうちの一方の目地材除去刃設置部（第１の目地材除去刃設置部）１１Ａに設置された目地材除去刃（第１の目地材除去刃）２３Ａ、一対の目地材除去刃設置部１１のうちの他方の目地材除去刃設置部（第２の目地材除去刃設置部）１１Ｂに設置された目地材除去刃（第２の目地材除去刃）２３Ｂの少なくともいずれかが、走行部２５による走行方向（Ｘ方向；前後方向）で移動位置決め自在になっている。
【００４７】
たとえば、図５で示すように、第１の目地材除去刃設置部１１Ａに設置された第１の目地材除去刃２３Ａは、目地材除去装置本体部９に対して、Ｘ方向では移動しないようになっている（図５に参照符号Ｐ１で示す位置から前側には移動しないようになっている）。
【００４８】
一方、第２の目地材除去刃設置部１１Ｂに設置された第２の目地材除去刃２３Ｂは、第１の目地材除去刃設置部１１Ａに設置された第１の目地材除去刃２３Ａ（目地材除去装置本体部９）に対して、Ｘ方向で、移動位置決め自在になっている（図５に参照符号Ｐ１で示す位置と参照符号Ｐ２で示す位置との間で移動位置決め自在になっている（図３の矢印Ａ３４も併せて参照）。
【００４９】
図５では、目地材除去装置本体部９と目地材除去刃設置部１１の表示を省略している。
【００５０】
なお、第１の目地材除去刃設置部１１Ａに設置された第１の目地材除去刃２３Ａと第２の目地材除去刃設置部１１Ｂに設置された第２の目地材除去刃２３Ｂとが、Ｘ方向で、目地材除去装置本体部９に対して移動位置決め自在になっていてもよい。
【００５１】
第１の目地材除去刃設置部１１Ａに設置された第１の目地材除去刃２３Ａは、目地材除去装置本体部９に対して、Ｙ方向では移動しないが、Ｚ方向では、移動するようになっている（図５に参照符号Ｐ１で示す位置と参照符号Ｐ３で示す位置との間で移動位置決め自在になっている；図４の矢印Ａ４２も併せて参照）。
【００５２】
また、第２の目地材除去刃設置部１１Ｂに設置された第２の目地材除去刃２３Ｂは、目地材除去装置本体部９に対して、Ｙ方向で移動するとともに（図３の矢印Ａ３３と図４の矢印Ａ４４参照）、Ｚ方向でも、移動するようになっている（図４の矢印Ａ４５参照）。すなわち、第２の目地材除去刃設置部１１Ｂに設置された第２の目地材除去刃２３Ｂは、図５に参照符号Ｐ１で示す位置と参照符号Ｐ２で示す位置と参照符号Ｐ３で示す位置と参照符号Ｐ４で示す位置との四角形の範囲内で、移動位置決め自在になっている。
【００５３】
目地材除去刃２３は、図７（ａ）等で示すように、円板状に形成されており、目地材除去刃設置部１１に設置されている円板状の目地材除去刃２３の回転中心軸Ｃ１、Ｃ２は、目地材除去刃２３の中心を通って、目地材除去刃２３の厚さ方向に延びている。
【００５４】
また、目地材除去刃設置部１１に設けられている円板状の目地材除去刃の回転中心軸Ｃ１、Ｃ２は、初期状態では、図３、図４等で示すように、Ｙ方向に延びている。
【００５５】
目地材除去刃設置部１１に設置された目地材除去刃２３の回転中心軸Ｃ１、Ｃ２の延伸方向が変更自在になっていることで、上記初期状態に対して、数°（たとえば±３°）の範囲内で目地材除去刃設置部１１に設置された目地材除去刃２３の回転中心軸Ｃ１、Ｃ２を傾け、この傾けた状態を維持することができるようになっている。
【００５６】
さらに説明すると、第１の目地材除去刃設置部１１Ａに設置された第１の目地材除去刃２３Ａの回転中心軸Ｃ１の延伸方向が、Ｘ方向に延びている軸回りで、数°の範囲内で傾けることができるようになっているとともに（図４の矢印Ａ４１参照）、Ｚ方向に延びている軸回りで、数°の範囲内で傾けることができるようになっている（図３の矢印Ａ３１参照）。
【００５７】
第２の目地材除去刃設置部１１Ｂに設置された第２の目地材除去刃２３Ｂの回転中心軸Ｃ２の延伸方向も、Ｘ方向に延びている軸回りで、数°の範囲内で傾けることができるようになっているとともに（図４の矢印Ａ４３参照）、Ｚ方向に延びている軸回りで、数°の範囲内で傾けることができるようになっている（図３の矢印Ａ３２参照）。
【００５８】
また、目地材除去刃設置部１１に設置されている目地材除去刃２３は、この回転中心軸Ｃ１、Ｃ２の延伸方向（Ｙ方向）で、目地材除去装置本体部９に対して、移動位置決め自在になっている。すなわち、Ｙ方向で、第１の目地材除去刃設置部１１Ａに設置された第１の目地材除去刃２３Ａと第２の目地材除去刃設置部１１Ｂに設置された第２の目地材除去刃２３Ｂとの間の間隔を変更調整自在になっている。
【００５９】
たとえば、第１の目地材除去刃設置部１１Ａに設置された第１の目地材除去刃２３Ａは、Ｙ方向では、目地材除去装置本体部９に対して移動位置決めされないようになっているが、第２の目地材除去刃設置部１１Ｂに設置された第２の目地材除去刃２３Ｂが、Ｙ方向で、目地材除去装置本体部９に対して移動位置決め自在になっている（図３の矢印Ａ３３、図４の矢印Ａ４４参照）。
【００６０】
なお、第１の目地材除去刃設置部１１Ａに設置された第１の目地材除去刃２３Ａと第２の目地材除去刃設置部１１Ｂに設置された第２の目地材除去刃２３Ｂとが、Ｙ方向で、目地材除去装置本体部９に対して移動位置決め自在になっていてもよい。
【００６１】
第１の目地材除去刃設置部１１Ａに設置された第１の目地材除去刃２３Ａと、第２の目地材除去刃設置部１１Ｂに設置された第２の目地材除去刃２３Ｂとは、Ｚ方向で、目地材除去装置本体部９に対して、たとえば、同時に移動位置決め自在になっている（図４の矢印Ａ４２、Ａ４５参照）。
【００６２】
すなわち、第１の目地材除去刃設置部１１Ａに設置された第１の目地材除去刃２３Ａと、第２の目地材除去刃設置部１１Ｂに設置された第２の目地材除去刃２３Ｂとは、Ｚ方向でお互いが同期して移動位置決めされ、Ｚ方向では、お互いが同じところに位置するようになっている。
【００６３】
なお、第１の目地材除去刃設置部１１Ａに設置された第１の目地材除去刃２３Ａと、第２の目地材除去刃設置部１１Ｂに設置された第２の目地材除去刃２３Ｂとの、Ｚ軸方向における相対的な位置関係を、微調整可能に構成されていてもよいし、第１の目地材除去刃設置部１１Ａに設置された第１の目地材除去刃２３Ａと、第２の目地材除去刃設置部１１Ｂに設置された第２の目地材除去刃２３Ｂとが、Ｚ方向で別個に移動位置決めされるように構成されていてもよい。
【００６４】
また、目地材除去装置１には、図１で示すように、ミラー２９が設けられている。ミラー２９は、図示しないミラー支持材によって目地材除去装置本体部９に支持されている。
【００６５】
ミラー２９は、目地材７を除去（切削）するための操作をしているオペレータ２７が、目地材除去刃設置部１１に設置されている目地材除去刃２３（目地材除去刃２３によって切削されている目地材７の部位）を、目地材除去装置１の操作をしつつ見えるようにするために設けられている。なお、ミラー２９の姿勢（設置角度）は、調整自在になっている。
【００６６】
次に、目地材除去刃２３について図７、図８等を参照して詳しく説明する。なお、図８では、説明の便宜のために、実際は円弧状である目地材除去刃２３の外周を直線状に描いている。
【００６７】
目地材除去刃２３は、上述したように、第１のコンクリート舗装版３Ａと第２のコンクリート舗装版３Ｂとの間の目地用の間隙５に設置されている目地材７を除去するものであり、円板状に形成されている。
【００６８】
目地材除去刃２３の外周（外周のほぼ全周）には、切れ刃部３１が形成されており、目地材除去刃２３は、厚さ方向の力（円板の厚さ方向の力）に対して弾性を備えている（機械的コンプライアンスの値が大きくなっている）。
【００６９】
さらに説明すると、目地材除去刃２３は、円板状の本体部３３と、円板状の本体部３３の外周のほぼ全周に形成されている切れ刃部３１とを備えて構成されている。目地材除去刃２３の厚さ方向で見ると、図７（ａ）で示すように、切れ刃部３１は、円形状の本体部３３を囲んでいる所定幅の円環状に形成されている。この円環状の部位が、切れ刃部３１の側面になっている。
【００７０】
目地材除去刃２３の切れ刃部３１の厚さは、図８（ａ）で示すように、目地材除去刃２３の本体部３３の厚さよりも僅かに厚くなっており、目地材除去刃２３の厚さ方向では、目地材除去刃２３の切れ刃部３１の両端面のそれぞれが、目地材除去刃２３の本体部３３の両端面のそれぞれから僅かに突出している。また、目地材除去刃２３の厚さ方向で見ると、切れ刃部３１の円形の外周が、切れ刃部３１の外周面になっている。
【００７１】
次に、コンクリート舗装版３について詳しく説明する。コンクリート舗装版３は、たとえば矩形な板状に形成されており、図９等で示すように、この厚さ方向がＺ方向になっている。
【００７２】
目地用の間隙５を形成している一方のコンクリート舗装版３Ａの平面状の上面と他方のコンクリート舗装版３Ｂの平面状の上面とは、Ｚ方向に対して直交しており、Ｚ軸方向でお互いが同じところに位置している。また、目地用の間隙５を形成している一方のコンクリート舗装版３Ａの側面と他方のコンクリート舗装版３Ｂの側面とは、たとえば、Ｙ方向に対して直交している平面状になっており、僅かな距離（たとえば８ｍｍ）をあけてお互いが平行になって対向している。
【００７３】
目地材除去装置１の第１の目地材除去刃設置部１１Ａに第１の目地材除去刃２３Ａを設置し、目地材７を除去するために第１の目地材除去刃２３Ａを目地材７に食い込ませ回転しているとき（目地材切削時）には、図５、図１０で示すように、円板状の第１の目地材除去刃２３Ａの下端部が、目地材７と一方のコンクリート舗装版３Ａとの境界のところで、目地材７に食い込んでいる。第１の目地材除去刃２３Ａの下端は、たとえば、バックアップ部材１９にも食い込んでいる。
【００７４】
目地材切削時に目地材７やバックアップ部材１９に食い込んでいる第１の目地材除去刃２３Ａの部位（第１の目地材除去刃食い込み部位）を、第１の目地材除去刃２３Ａの厚さ方向で見ると、第１の目地材除去刃食い込み部位は弓形状に形成されている。
【００７５】
また、目地材切削時においては、第１の目地材除去刃２３Ａの切れ刃部３１の側面の一部（弓形状に形成されている第１の目地材除去刃食い込み部位の一部で形成されている側面の一部）が、一方のコンクリート舗装版３Ａの側面に当接している。
【００７６】
さらに説明すると、目地材切削時において一方のコンクリート舗装版３Ａの側面に当接している切れ刃部３１の側面は、第１の目地材除去刃２３Ａの厚さ方向で見ると、所定の幅を備えた円弧状に形成されている。
【００７７】
なお、目地材切削時における第１の目地材除去刃２３Ａに厚さ方向で見た第１の目地材除去刃２３Ａの切れ刃部３１の一方のコンクリート舗装版３Ａの側面に当接している切れ刃部３１の側面の形状は、ほとんど変化しないが、当然のことであるが、第１の目地材除去刃２３Ａが回転しているので、一方のコンクリート舗装版３Ａの側面に当接している切れ刃部３１の部位は入れ替わり変化している。
【００７８】
目地材切削時における第１の目地材除去刃２３Ａは、一方のコンクリート舗装版３Ａの側面に、切れ刃部３１の側面の一部が当接して、一方のコンクリート舗装版３１Ａの側面を擦っている。これにより、目地材７が一方のコンクリート舗装版３Ａの側面にほとんど残らない態様で除去されるようになっている。
【００７９】
また、目地材切削時において、一方のコンクリート舗装版３Ａの側面に、切れ刃部３１の側面の一部が当接して一方のコンクリート舗装版３Ａの側面を擦っていることで、一方のコンクリート舗装版３Ａの側面が僅かに削られる（Ｙ方向でわずかな厚さ削られる）場合がある。これにより、目地材７が一方のコンクリート舗装版３Ａの側面に少しも残らない態様で目地材７が除去されるようになっている。
【００８０】
また、目地材切削時において、第１の目地材除去刃２３Ａの回転中心軸Ｃ１が、コンクリート舗装版３Ａの側面に対して直交している場合には、図１０（ｂ）で示すように、第１の目地材除去刃２３Ａが一方のコンクリート舗装版３Ａから受けるＹ方向の反力は、小さいので、第１の目地材除去刃２３Ａはほとんど変形しない。
【００８１】
一方、目地材切削時において、図１１に示すように、第１の目地材除去刃２３Ａの回転中心軸Ｃ１が、コンクリート舗装版３Ａの側面に対して僅かに傾いている場合には、一方のコンクリート舗装版３Ａから受ける反力により、第１の目地材除去刃２３Ａがたとえば比例限度内で弾性変形している。
【００８２】
これにより、第１の目地材除去刃２３Ａの切れ刃部３１が所定の付勢力をもって、一方のコンクリート舗装版３Ａの側面を擦っている。そして、目地材７を一方のコンクリート舗装版３Ａの側面からより確実に剥すことができるようになっている。
【００８３】
なお、図１１では、第１の目地材除去刃２３Ａの回転中心軸Ｃ１がＸ方向に対して直交する平面内で傾いている場合（図４の矢印Ａ４１参照）を示しているが、第１の目地材除去刃２３Ａの回転中心軸Ｃ１がＺ方向に対して直交する平面内で傾いている場合（図３の矢印Ａ３１参照）や、第１の目地材除去刃２３Ａの回転中心軸Ｃ１が、図４の矢印Ａ４１の方向と図３の矢印Ａ３１の方向とに傾いている場合にも、図１１で示す場合と同様にして、一方のコンクリート舗装版３Ａから受ける反力により、第１の目地材除去刃２３Ａが弾性変形するようになっている。
【００８４】
第１の目地材除去刃２３Ａと第２の目地材除去刃２３Ｂとは、同形状に形成されており、お互いが互換性を備えている。そして、目地材切削時には、第１の目地材除去刃２３Ａと同様にして、第２の目地材除去刃２３Ｂによる目地材７の除去（切削）がなされるようになっている。このとき、円板状の第２の目地材除去刃２３Ｂの一部が、目地材７と他方のコンクリート舗装版３Ｂとの間で、目地材７やバックアップ部材１９に食い込んでいる（図１０（ｂ）、図１１参照）。
【００８５】
また、目地材切削時には、たとえば、Ｚ方向およびＸ方向で、第１の目地材除去刃２３Ａと第２の目地材除去刃２３Ｂとが同じところに位置している。さらに、Ｙ方向における目地材７の寸法の値（幅寸法の値）は、第１の目地材除去刃２３Ａの厚さ寸法と第２の目地材除去刃２３Ｂの厚さ寸法との和の値よりに大きくなっている。
【００８６】
そして、目地材７を切削することで、第１の目地材除去刃２３Ａと第２の目地材除去刃２３Ｂとの間に、各コンクリート舗装版３Ａ、３Ｂから分離された目地材７（目地材の残存片）３５が生成されるようになっている（図１０参照）。
【００８７】
ところで、ダイヤモンドカッターを用いたコンクリートの切断では、ダイヤモンドカッターの切削速度（切断速度）を１０００ｍ／ｍｉｎ程度の高速にして、しかも、湿式で切断している。
【００８８】
これに対して、本発明の実施形態に係る目地材除去装置１と目地材除去刃２３とを用いた目地材７の除去のための切削は乾式で行われ、しかも、目地材７およびコンクリート舗装版３と目地材除去刃２３との間で発生する摩擦熱や切削熱によっても、目地材７が溶融しないように、たとえば１０ｍ／ｍｉｎ〜１００ｍ／ｍｉｎ程度のおそい切削速度で目地材７の切削をおこなっている。
【００８９】
また、第１の目地材除去刃２３Ａと第２の目地材除去刃２３Ｂとによる目地材７の切削（切断）は、図１０（ｃ）に矢印Ａ１０１、Ａ１０２で示すように、アップカットでなされる。矢印Ａ１０１は、回転方向を示しており、矢印Ａ１０２は、目地材除去刃２３の移動方向を示している。
【００９０】
第１の目地材除去刃２３Ａと第２の目地材除去刃２３Ｂとによる目地材７の切削がアップカットでなされることで、一対のコンクリート舗装版３から分離された目地材７（目地材の残存片３５）が目地用の間隙５から上方に出やすくなっている。
【００９１】
なお、第１の目地材除去刃２３Ａと第２の目地材除去刃２３Ｂとによる目地材７の切削を、第１の目地材除去刃２３Ａと第２の目地材除去刃２３Ｂとを図１０（ｃ）の矢印Ａ１０１で示す方向とは逆方向に回転させて、ダウンカットで行ってもよいし、目地材切削時における第１の目地材除去刃２３Ａの回転法方向と第２の目地材除去刃２３Ｂの回転法方向とお互いに異なっていてもよい。
【００９２】
ここで、目地材除去装置１についてさらに詳しく説明する。目地材除去装置１の走行部２５は、図１で示すように、目地材除去装置本体部９に対して回転する車輪３６と車輪３６を回転駆動する原動機（図示せず）とを備えて構成されている。原動機は、目地材除去装置本体部９に設けられている。
【００９３】
また、目地材除去装置本体部９には、目地材除去刃設置部１１に設置されている目地材除去刃２３を回転駆動等するための油圧を生成する油圧ユニット（図示せず）が設けられている。
【００９４】
目地材除去刃設置部１１は、目地材除去装置本体部９の前方に設けられている。また、第１の目地材除去刃設置部１１Ａは、図６で示すように、第１の目地材除去刃設置体３７と第１の油圧モータ支持体３９と第１の上下方向移動体４１とを備えて構成されている。
【００９５】
第１の目地材除去刃設置体３７には、第１の目地材除去刃２３Ａが設置されるようになっている。また、第１の目地材除去刃設置体３７は、第１の油圧モータ４３の回転出力軸に一体的に設けられている。
【００９６】
第１の油圧モータ４３の筐体は、第１の油圧モータ支持体３９に係合しており、Ｘ方向に延びた軸Ｃ３を中心にして、第１の油圧モータ支持体３９に対し、数度の角度だけ回動して回動位置決め自在になっている。第１の油圧モータ支持体３９は、第１の上下方向移動体４１に係合しており、Ｚ方向に延びた軸Ｃ４を中心にして、第１の上下方向移動体４１に対し、数度の角度だけ回動して回動位置決め自在になっている。
【００９７】
なお、第１の油圧モータ４３の筐体や、第１の油圧モータ支持体３９の回動位置決めは、たとえば、目地材除去装置１の操作部４４に設けられているフレキシブルシャフト（図示せず）のハンドルをオペレータ２７が回転することでされるように構成されている。
【００９８】
第１の上下方向移動体４１は、目地材除去装置本体部９に係合しており、目地材除去装置本体部９に対してＺ方向で移動位置決め自在になっている。なお、第１の上下方向移動体４１の移動位置決めは、操作部４４に設けられている操作レバー（図示せず）をオペレータ２７が操作することで、図示しないシリンダ等のアクチュエータでなされるようになっている。
【００９９】
第２の目地材除去刃設置部１１Ｂは、図６で示すように、第２の目地材除去刃設置体４５と第２の油圧モータ支持体４７と幅方向移動体４９と前後方向移動体５１と第２の上下方向移動体５３とを備えて構成されている。
【０１００】
第２の目地材除去刃設置体４５には、第２の目地材除去刃２３Ｂが設置されるようになっている。また、第２の目地材除去刃設置体４５は、第２の油圧モータ５５の回転出力軸に一体的に設けられている。
【０１０１】
第２の油圧モータ５５の筐体は、第２の油圧モータ支持体４７に係合しており、Ｘ方向に延びた軸Ｃ５を中心にして、第２の油圧モータ支持体４７に対し、数度の角度だけ回動して回動位置決め自在になっている。第２の油圧モータ支持体４７は、幅方向移動体４９に係合しており、Ｚ方向に延びた軸Ｃ６を中心にして、幅方向移動体４９に対し、数度の角度だけ回動して回動位置決め自在になっている。
【０１０２】
なお、第２の油圧モータ５５の筐体や、第２の油圧モータ支持体４７の回動位置決めは、目地材除去装置１の操作部４４に設けられているフレキシブルシャフト（図示せず）のハンドルをオペレータ２７が回転することでされるように構成されている。
【０１０３】
幅方向移動体４９は、前後方向移動体５１に係合しており、前後方向移動体５１に対してＹ方向で移動位置決め自在になっている。前後方向移動体５１は、第２の上下方向移動体５３に係合しており、第２の上下方向移動体５３に対してＺ方向で移動位置決め自在になっている。
【０１０４】
なお、幅方向移動体４９の移動位置決めは、操作部４４に設けられている操作レバー（図示せず）をオペレータ２７が操作することで、図示しないシリンダ等のアクチュエータでなされるようになっている。
【０１０５】
また、第２の上下方向移動体５３は、第１の上下方向移動体４１と一体化しており、第１の上下方向移動体４１とともにＺ方向で移動位置決めされるようになっている。
【０１０６】
このように構成されていることで、第１の目地材除去刃設置部１１Ａに設置されている第１の目地材除去刃２３Ａや第２の目地材除去刃設置部１１Ｂに設置されている第２の目地材除去刃２３Ｂが、図３や図４を用いて説明したように、移動位置決めがされまた回動位置決めがされるようになっている。
【０１０７】
ところで、図７で示すように、目地材除去刃２３の中央部には、穴ぐり（皿モミ）部５９を備えた複数の（たとえば６つの）貫通孔５７が設けられている。６つの貫通孔５７のそれぞれは、中心軸Ｃ１（Ｃ２）を中心とするピッチサークル円の円周を６等配する位置に設けられている。
【０１０８】
皿モミ部５９は、目地材除去刃２３の厚さ方向の一方の側と他方の側とに設けられており、一方の側の皿モミ部５９と他方の側の皿モミ部５９とは、ピッチサークル円の円周方向で交互に配置されている。
【０１０９】
目地材除去刃２３を目地材除去刃設置部１１に皿ビスを用いて設置する場合は、ピッチサークル円の円周を３等配する位置に設けられている３つの貫通孔５７と３本の皿ビスが使用されるようになっている。このとき、皿ビスの頭部は、皿モミ部５９に埋没するようになっている。
【０１１０】
目地材除去刃２３がこのこのように構成されていることで、目地材除去刃２３をこの厚さ方向で裏返しても、目地材除去刃２３が目地材除去刃設置部１１に設置することができるようになっている。
【０１１１】
これにより、１枚の目地材除去刃２３において、コンクリート舗装版３の側面に当接する切れ刃部３１の側面を入れ替えることができ、目地材除去刃２３を効率良く使用することができる。
【０１１２】
次に、目地材除去装置１の動作を説明する。
【０１１３】
初期状態として、目地材除去装置１が、除去対象である目地材７のところに位置しており、第１の目地材除去刃設置部１１Ａに設けられている第１の目地材除去刃２３Ａと、第２の目地材除去刃設置部１１Ｂに設けられている第２の目地材除去刃２３Ｂとが図１や図２で示すように上昇しており、第１の目地材除去刃２３Ａと第２の目地材除去刃２３ＢとがＸ方向でほぼ同じところに位置している。
【０１１４】
上記初期状態で、第２の目地材除去刃２３ＢのＹ方向の位置を調整し、第１の目地材除去刃２３Ａと第２の目地材除去刃２３Ｂとの姿勢を適宜調整し（図３の矢印Ａ３１、Ａ３２、図４の矢印Ａ４１、Ａ４３で示す回動角度を調整し）、第１の目地材除去刃２３Ａと第２の目地材除去刃２３Ｂと下降し、第１の目地材除去刃２３Ａと第２の目地材除去刃２３Ｂと目地材に食い込ませる。これにより、図１０もしくは図１１で示す状態になる。
【０１１５】
なお、第１の目地材除去刃２３Ａや第２の目地材除去刃２３Ｂの位置の調整を、これらを下降しているときや下降し終えたときに行ってもよい。
【０１１６】
続いて、目地材除去装置１を走行部２５で前側に移動することで、Ｘ方向で所定の長さにわたって、目地材の残存片３５を形成する。
【０１１７】
続いて、第２の目地材除去刃２３Ｂを前側に移動し、所定長さの目地材の残存片３５を目地用の間隙５から掻き出す。このときに、さらに、第２の目地材除去刃２３Ｂや第１の目地材除去刃２３Ａを上昇させてもよいし、第１の目地材除去刃２３Ａや第２の目地材除去刃２３Ｂに関してその他の適宜の動作をさせてもよい。
【０１１８】
続いて、第２の目地材除去刃２３Ｂを後側に移動し、第１の目地材除去刃２３Ａと第２の目地材除去刃２３ＢとがＸ方向でほぼ同じところに位置させる。
【０１１９】
続いて、目地材除去装置１を走行部２５で前側に移動しＸ方向で所定の長さにわたって、目地材の残存片３５を形成する等の動作を繰り返すことで、古くなった目地材７を目地用の間隙５から除去（撤去）する。
【０１２０】
このような動作をすることで、本発明の実施形態に係る目地材交換方法における既存目地材の撤去がなされる（図１２のステップＳ１）。
【０１２１】
なお、古くなった目地材７を除去しているときには、第２の目地材除去刃２３ＢのＹ方向の位置の微調整や、第１の目地材除去刃２３Ａと第２の目地材除去刃２３Ｂとの姿勢の微調整が適宜なされる場合もある。すなわち、目地材除去刃２３の搖動角度やＹ方向の位置は、目地材７を残さないようにしかもコンクリート舗装版３を削らないかもしくは削りを最小にするように、現場でそのつど臨機応変に調整される。
【０１２２】
目地材交換方法では、続いて、機械と人手により、古くなった目地材７とバックアップ部材１９が除去された目地用の間隙（目地部）５の清掃をする（図１２のステップＳ３、図９の（ｂ）参照）。この清掃は、たとえば、目地部（目地部材用の溝）５をエアーブローすることでなされる。
【０１２３】
続いて、清掃された目地用の間隙５の底部に新しいバックアップ部材１９を設置する（図１２のステップＳ５、図９の（ｃ）参照）。バックアップ部材１９は、コンクリート舗装版３Ａ、３Ｂの側面の下方に形成されている僅かな間隙６１に、新しく設置された目地材７がこぼれ出ることを防ぐために設置される。
【０１２４】
続いて、底部に新しいバックアップ部材１９が設置された目地用の間隙５内にプライマを塗布し（図１２のステップＳ７）、目地用の間隙５内を、新しい目地材７で充填する（図１２のステップＳ７、図９の（ａ）参照）。
【０１２５】
目地材除去装置１によれば、目地材除去刃設置部１１に設置された目地材除去刃２３の回転中心軸Ｃ１の延伸方向を変更自在に構成されているので、目地材７を除去すべく目地材７を切削するときに、コンクリート舗装版３の側面に目地材除去刃２３を的確に当接させることができる。
【０１２６】
これにより、コンクリート舗装版３の側面に古くなった目地材７を残すことなくしかもコンクリート舗装版３の側面をほとんど削って傷めることなく、たとえば、肉眼ではわからない程度に目地用の間隙５の幅寸法をごく僅かに拡張をするだけで、古くなった目地材７を目地用間隙５から除去することができる。そして、目地材７を交換する毎に目地用間隙５の幅寸法の値が目に見えて大きくなることを極力防ぐことができ、コンクリート舗装版３の側面の減りを少なくしコンクリート舗装版３の延命をはかることができる。
【０１２７】
なお、目地材７を交換する毎に（補修工事をする毎に）目地用間隙５の幅寸法（目地幅）の値が大きくなることを防ぐことができることで、バックアップ部材１９のサイズ変更がほぼ不要になり、さらに、新しく敷設する目地材７の量の増加をほぼ無くすことができる。
【０１２８】
すなわち、度重なる補修により目地幅が広くなると補修時に注入する目地材の量が増え不経済であるが（補修工事コストの上昇になるが）、補修工事をしても目地幅が大きくはならないので、補修工事コストの上昇を抑えることができる。
【０１２９】
また、従来のようにコンクリート舗装版３を切断する必要が無く、ゴム状の材料で構成されている目地材７を目地材除去刃２３で乾式切断すればよいので、目地材７の除去を極力短時間で行うことができ、目地材除去刃２３のもちも良くなる。
【０１３０】
また、目地材除去装置１によれば、第１の目地材除去刃設置部１１Ａに設置された第１の目地材除去刃２３Ａに対して、第２の目地材除去刃設置部１１Ｂに設置された第２の目地材除去刃２３Ｂが、Ｘ方向で移動位置決め自在になっているので、第１の目地材除去刃２３Ａと第２の目地材除去刃２３Ｂとの間に生成された目地材の残存片（コンクリート舗装版３から剥離した残存片）３５を目地用間隙５の外へ容易に掻き出すことができる。
【０１３１】
すなわち、通常では、第１の目地材除去刃２３Ａと第２の目地材除去刃２３ＢとをＸ方向で同じところに位置させて回転させるとともに、目地材除去装置１をＸ方向前側に所定の距離だけ走行し移動して、目地材７をアップカットで切断すると、上述したように、第１の目地材除去刃２３Ａと第２の目地材除去刃２３Ｂとの間に、Ｘ方向に長い目地材の残存片３５が形成される。
【０１３２】
このＸ方向に長い目地材の残存片３５が形成されたときに、第１の目地材除去刃２３Ａと第２の目地材除去刃２３Ｂとを回転させたまま、たとえば、目地材除去装置１の移動を停止するとともに、第２の目地材除去刃２３ＢをＸ方向前側に所定の長さだけ移動すると、目地材の残存片３５に第１の目地材除去刃２３Ａの回転力のみが伝わり、目地材の残存片３５に加えられる力のバランスが崩れて、目地材の残存片３５が浮き上がり目地用間隙５上部の開口部から出てくるのである。
【０１３３】
また、目地材除去装置１によれば、目地材除去刃設置部１１に設置されている目地材除去刃２３をＹ方向で移動位置決め自在に構成されているので、目地材７を切削するときに、目地用の間隙５の幅にあわせて、コンクリート舗装版３の側面に目地材除去刃２３を一層的確に当接させることができる。
【０１３４】
また、目地材除去装置１によれば、ミラー２９によって、目地材７を除去するための操作をしているオペレータ２７が、目地材除去刃設置部１１に設置されている目地材除去刃２３を、操作をしつつ容易に見ることができるので、目地材７の除去をより正確にすることができる（第１の目地材除去刃２３Ａや第２の目地材除去刃２３Ｂの位置を適宜制御しつつコンクリート舗装版３の切削がほとんどされない状態で目地材７の除去をすることができる）。
【０１３５】
また、目地材除去装置１によれば、目地材除去刃２３の切れ刃部３１の側面がコンクリート舗装版３の側面に付勢力をもって当接しているので、コンクリート舗装版３からの古くなった目地材７の剥離を確実に行うことができる。
【０１３６】
また、目地材除去装置１によれば、目地材除去刃２３が、この厚さ方向の力に対して弾性を備えているので、目地材除去刃２３のＹ方向での位置決めが目標値から若干ずれても、目地材除去刃２３の切れ刃部３１の側面を、付勢力をもってコンクリート舗装版３の側面に的確に当接させることができる。また、弾性を確保すべく目地材除去刃２３の厚さ寸法の値が小さくなっているので、幅の狭い目地用の間隙５に充填されている目地材７を除去することができる。
【０１３７】
ここで、変形例に係る目地材除去刃６３について、図１３、図１４を参照しつつ説明する。
【０１３８】
変形例に係る目地材除去刃６３は、上述した目地材除去刃２３と同様に、一方のコンクリート舗装版３Ａと他のコンクリート舗装版３Ｂとの間の目地用の間隙５に設置されている目地材７を除去するものであり、第１の除去刃６３Ａと第２の除去刃６３Ｂと回転トルク伝達・付勢部６５とを備えて構成されている。
【０１３９】
第１の除去刃６３Ａは、円板状に形成されており、外周のほぼ全周に切れ刃部３１が形成されている。なお、第１の除去刃６３Ａの厚さは、上述した目地材除去刃２３の厚さよりも厚くなっている。
【０１４０】
第２の除去刃６３Ｂは、第１の除去刃６３Ａとは別体で構成されており、第１の除去刃６３Ａと同形状に形成されており、厚さ方向と中心軸Ｃ１とが第１の除去刃６３Ａの厚さ方向と一致するようにして、第１の除去刃から厚さ方向で所定の距離だけ離れている。
【０１４１】
回転トルク伝達・付勢部６５は、第１の除去刃６３Ａと第２の除去刃６３Ｂとの間に設けられている。そして、回転トルク伝達・付勢部６５は、第１の除去刃６３Ａと第２の除去刃６３Ｂとの間で回転トルクを伝達するとともに、第１の除去刃６３Ａと第２の除去刃６３Ｂとの厚さ方向で、第１の除去刃６３Ａと第２の除去刃６３Ｂとがお互いに離れるように第１の除去刃６３Ａと第２の除去刃６３Ｂとを付勢している。
【０１４２】
第１の除去刃６３Ａと第２の除去刃６３Ｂとは、目地材７を除去するときに目地材７等から力を受けても、ほとんど変形しない程度（肉眼では変形が見えない程度）の剛性（剛体とみなせる程度の剛性）を備えている。
【０１４３】
第１の除去刃６３Ａと第２の除去刃６３Ｂとをこの厚さ方向で見ると、回転トルク伝達・付勢部６５は、第１の除去刃６３Ａの切れ刃部３１や第２の除去刃６３Ｂの切れ刃部３１から離れて、第１の除去刃６３Ａや第２の除去刃６３Ｂの切れ刃部３１の内側（第１の除去刃６３Ａや第２の除去刃６３Ｂの中心軸Ｃ１側）に設けられている。
【０１４４】
ここで、回転トルク伝達・付勢部６５について例を掲げて説明する。回転トルク伝達・付勢部６５は、ボルト６７とナット６９と圧縮コイルバネ等の弾性体７１を備えて構成されている。
【０１４５】
また、第１の除去刃６３Ａや第２の除去刃６３Ｂには、ボルト６７の軸部が貫通している貫通孔（第１の除去刃６３Ａや第２の除去刃６３Ｂの厚さ方向に貫通している貫通孔）が設けられている。この貫通孔の内径は、ボルト６７の軸部の外径よりもごく僅かに大きくなっている。
【０１４６】
第１の除去刃６３Ａや第２の除去刃６３Ｂの貫通孔をボルト６７が貫通している状態では、ボルト６７の頭部が第１の除去刃６３Ａ（第１の除去刃６３Ａの、第２の除去刃６３Ｂとは反対側の面）に当接しており、ボルト６７の軸部の先端部に形成されたネジ部が、第２の除去刃６３Ｂ（第２の除去刃６３Ｂの、第１の除去刃６３Ａとは反対側の面）から突出している。
【０１４７】
第２の除去刃６３Ｂから突出しているボルト６７のネジ部には、ナット６９が螺合している。ナット６９は、第２の除去刃６３Ｂ（第２の除去刃６３Ｂの、第１の除去刃６３Ａとは反対側の面）に当接している。
【０１４８】
また、第１の除去刃６３Ａや第２の除去刃６３Ｂの間には、圧縮コイルバネ７１が設けられており、第１の除去刃６３Ａと第２の除去刃６３Ｂとがお互いに離れる方向に、第１の除去刃６３Ａと第２の除去刃６３Ｂとを付勢している。ボルト６７の軸部は、圧縮コイルバネ７１を貫通している。
【０１４９】
ボルト６７とナット６９と圧縮コイルバネ等の弾性体７１とは、複数（たとえば８つ）設けられており、８つのボルト６７とナット６９と圧縮コイルバネ等の弾性体７１とのそれぞれは、中心軸Ｃ１を中心とするピッチサークル円の円周を８等配する位置に設けられている。
【０１５０】
ここで、変形例に係る目地材除去刃６３が設置される目地材除去装置（図示せず）について説明する。この目地材除去装置は、１つの目地材除去刃設置部を備えて構成されており、目地材除去刃６３の第１の除去刃６３Ａが、目地材除去刃設置部にボルト等の締結具で一体的に設置されるようになっている。
【０１５１】
この目地材除去装置に設置されている目地材除去刃６３は、少なくともＺ方向で移動位置決め自在になっている。
【０１５２】
変形例に係る目地材除去刃６３は、図１４で示すように、目地材７を除去するために目地材７に食い込み回転するようになっている。なお、目地材除去装置に設置されている目地材除去刃６３がＹ方向で目地用の間隙５に的確に入り込むようにするために、目地材除去装置に設置されている目地材除去刃６３が、Ｙ方向で移動位置決め自在になっていてもよいし、Ｙ方向での機械的コンプライアンスを備えていてもよい。
【０１５３】
また、目地材除去装置に設置されている目地材除去刃６３が目地用の間隙５に的確に入り込みやすくようにするために、図１４で示すように、第１の除去刃６３Ａと第２の除去刃６３Ｂとに面取り部７３が形成されていてもよい。
【０１５４】
さらに、図１４では、第２の除去刃６３Ｂとナット６９とがお互いに接しているが、図１４で示す場合よりも目地材５の幅が狭くなった場合には、第２の除去刃６３Ｂと第１の除去刃６３Ａとの間隔が狭くなり、圧縮コイルバネ７１が圧縮され、第２の除去刃６３Ｂがナット６９から離れる。なお、図１４で示す状態でも、圧縮コイルバネ７１は圧縮されている。
【０１５５】
ところで、目地材除去刃設置部１１に目地材除去刃２３（２３Ａ、２３Ｂ）が設置された目地材除去装置１を用いて、目地用の間隙５を形成している一対のコンクリート舗装版３（３Ａ、３Ｂ）の側面を目地材除去刃（刃具）で適宜の厚さ削ることにすれば、目地材除去装置１を目地幅拡張調整機械（目地幅調整機械）として把握することができる。
【０１５６】
また、目地材用除去刃２３に代えて、目地材用除去刃２３と同形状であって、切れ刃部の代わりにブラシ等の清掃材（ゴミ掻きだし材）を設けた清掃具（目地清掃具）を、目地材除去刃設置部（目地清掃具設置部）１１に設置し、目地材７が除去された目地用の間隙５に清掃具の一部を挿入して、除去刃２３の場合と同様に回転等させ、目地材７が除去された目地用の間隙５を掃除（清掃）するようにしてもよい。そして、目地材除去装置１を、目地清掃装置として把握してもよい。この場合、目地清掃具が、目地材用除去刃２３のような弾性を備えていてもよいし、備えていなくてもよい。
【０１５７】
また、上記記載内容を、目地材除去方法として把握してもよい。
【０１５８】
すなわち、一方のコンクリート舗装版と他方のコンクリート舗装版との間の細長い間隙に設置されている目地材を、円板状に形成されており外周に切れ刃部が形成されており弾性を備えた目地材除去刃を用いて除去する目地材除去方法であって、前記目地材を除去するために前記目地材除去刃を目地材に食い込ませ回転しているときには、前記目地材除去刃の一部が前記目地材と前記コンクリート舗装版との境界のところで前記目地材に食い込んでおり、この食い込んでいる前記目地材除去刃の切れ刃部の一部が前記コンクリート舗装版の側面に付勢力をもって当接している目地材除去方法として把握してもよい。
【０１５９】
また、上記目地材除去方法において、前記目地材除去刃として、第１の目地材除去刃と第２の目地材除去刃とが使用され、前記目地材を除去するために前記目地材除去刃を目地材に食い込ませ回転しているときには、前記第１の目地材除去刃の一部が、前記目地材と前記一方のコンクリート舗装版との境界のところで前記目地材に食い込んで、前記一方のコンクリート舗装版の側面に付勢力をもって当接しており、前記第２の目地材除去刃の一部が、前記目地材と前記他方のコンクリート舗装版との境界のところで前記目地材に食い込んで、前記他方のコンクリート舗装版の側面に付勢力をもって当接している態様にしてもよい。
【０１６０】
また、上記目地材除去方法において、前記目地材の除去は、前記第１の目地材除去刃と前記第２の目地材除去刃とを、前記目地材の長手方向に移動することでなされ、前記第１の目地材除去刃と前記第２の目地材除去刃とが、所定の距離だけ移動をする毎に、前記目地材の長手方向で、前記第１の目地材除去刃に対する前記第２の目地材除去刃との位置をずらす態様にしてもよい。
【０１６１】
また、上記目地材除去方法において、前記目地材を除去するために前記目地材除去刃を目地材に食い込ませ回転しているときにおける前記目地材除去刃の切れ刃部の一部が前記コンクリート舗装版の側面に当接しているときの付勢力の調整は、前記目地材除去刃の中心軸の延伸方向を変更することでなされる態様にしてもよい。
【０１６２】
また、上記目地材除去方法において、前記目地材除去刃による前記目地材の除去後（コンクリート舗装版のカス、バックアップ部材の除去後）に、前記一方のコンクリート舗装版と前記他方のコンクリート舗装版との間の細長い間隙をエアーブローによって（たとえばエアーブローのみによって）掃除する態様にしてもよい。
【０１６３】
さらに、上記目地材除去方法の実行後に、前記一方のコンクリート舗装版と前記他方のコンクリート舗装版との間の細長い間隙内であって前記間隙の底部にバックアップ部材を設置し、前記バックアップ部材の設置後に、前記一方のコンクリート舗装版と前記他方のコンクリート舗装版との間の細長い間隙の壁面にプライマを塗布し、前記プライマの塗布後に、前記一方のコンクリート舗装版と前記他方のコンクリート舗装版との間の細長い間隙内であって前記バックアップ部材の上に、新しい目地材を設置する目地材交換方法として把握してもよい。
【０１６４】
本発明の実施形態に係る目地材除去装置１を用いた目地材交換方法によれば、高圧力水による除去作業等を無くすことで、工程が、従来の８工程（図１６参照）に対して、５工程（図１２参照）になるので、施工期間を短縮することができる。
【０１６５】
また、従来の目地材交換方法では高圧力水による除去作業（図１６に示すステップＳ３０５）を行うので目地内部の乾燥作業が必要であり、単位延長あたりの作業日数として２日間ほど必要になるが、本発明の実施形態に係る目地材除去装置１を用いた目地材交換方法によれば、目地材７を乾式切削するので、目地内部の乾燥作業が不要となり、即日の目地注入作業を行うことができ、施工日数を大幅に短縮することができる。
【０１６６】
さらに説明すると、本発明の実施形態に係る目地材交換方法によれば、高圧水による洗浄作業が不要であり、乾燥工程を省くことが出来る。そして、乾式施工のため即日復旧(目地材注入)も可能となる。
【０１６７】
また、上記記載内容を、上記目地材除去方法を実行した後の目地清掃方法として把握してもよい。
【０１６８】
すなわち、一方のコンクリート舗装版と他方のコンクリート舗装版との間の細長い間隙である目地内を、円板状に形成されており少なくとも外周に清掃材が設けられており弾性を備えた目地清掃具を用いて清掃する目地清掃方法であって、前記目地を清掃するために前記目地清掃具を回転しているときに、前記目地清掃具一部が前記目地に入り込んでおり、この入り込んでいる前記目地清掃具の清掃材の一部が前記コンクリート舗装版の側面に付勢力をもって当接している目地清掃方法として把握してもよい。なお、目地清掃具を備えていない場合には、上記付勢力はほとんど発生していない。
【０１６９】
さらに、上記記載内容を、目地幅拡張調整方法（目地幅調整方法）として把握してもよい。
【０１７０】
すなわち、一方のコンクリート舗装版と他方のコンクリート舗装版との間の細長い間隙である目地内に、円板状に形成されており外周に切れ刃部が形成されており弾性を備えた刃具を入れて、前記コンクリート舗装版のうちの少なくとも一方のコンクリート舗装版の側面を削ることで前記目地の幅を拡張して調整する目地幅拡張調整方法であって、前記コンクリート舗装版の側面を削るために前記刃具が回転しているときに、前記刃具の切れ刃部の一部が前記コンクリート舗装版の側面に付勢力をもって当接している目地幅拡張調整方法として把握してもよい。
【０１７１】
さらに、上記目地材除去方法と上記目地幅拡張調整方法とが同時に（一工程で）なされるものとしてもよい。
【符号の説明】
【０１７２】
１  目地材除去装置
３、３Ａ、３Ｂ  コンクリート舗装版
５  細長い間隙（目地用の間隙）
７  目地材
１１、１１Ａ、１１Ｂ  目地材除去刃設置部
２３、２３Ａ、２３Ｂ  目地材除去刃
２５  走行部
２７  オペレータ
２９  ミラー
３１  切れ刃部
６３Ａ  第１の除去刃
６３Ｂ  第２の除去刃
６５  回転トルク伝達・付勢部
Ｃ１、Ｃ２  目地材除去刃の回転中心軸
【図１】
2020020187.tif 000003
【図２】
2020020187.tif 000004
【図３】
2020020187.tif 000005
【図４】
2020020187.tif 000006
【図５】
2020020187.tif 000007
【図６】
2020020187.tif 000008
【図７】
2020020187.tif 000009
【図８】
2020020187.tif 000010
【図９】
2020020187.tif 000011
【図１０】
2020020187.tif 000012
【図１１】
2020020187.tif 000013
【図１２】
2020020187.tif 000014
【図１３】
2020020187.tif 000015
【図１４】
2020020187.tif 000016
【図１５】
2020020187.tif 000017
【図１６】
2020020187.tif 000018